(57)【要約】【課題】デジタル放送の受信感度の劣化を防ぎ、かつ画音の乱れを低減することができるデジタル放送受信装置およびデジタル放送受信方法を提供する。【解決手段】制御部１０７は、ブランチＡでデジタル放送を受信している際に、ブランチＢにおいてフィルタ１０２ｂ−３を通らない信号経路１０２ｂ−５に切り替えられた状態で、受信状況を示す値を予め定められた閾値１と比較した結果に基づいて妨害波成分が存在し得る受信状況と判定した場合に、フィルタ１０２ｂ−３を通る信号経路１０２ｂ−４に切り替え、この切り替え状態で、受信状況を示す値の変化量を閾値２と比較した結果に基づいて妨害波成分が除去されたと判定した場合に、この切り替え状態を維持し、妨害波成分が除去されていないと判定した場合には信号経路１０２ｂ−５に戻し、この切り替え状態を画音出力用のブランチＡに反映させる。【選択図】図１
2015222855.tif 000002
【特許請求の範囲】
【請求項１】
アンテナを介して受信されるデジタル放送の受信信号から妨害波成分を除去するフィルタと、前記受信信号が前記フィルタを通過して次段へ伝達される第１の信号経路と前記受信信号が前記フィルタを通過せずに次段へ伝達される第２の信号経路との切り替えを行う切り替え部とをそれぞれ有する複数のブランチと、
前記複数のブランチのうち画音出力用のブランチでデジタル放送を受信している際に、残りのいずれかのバックグラウンド処理用のブランチにおいて前記第２の信号経路に切り替えられた状態で、受信状況を示す値を予め定められた第１の閾値と比較した結果に基づいて受信信号に前記妨害波成分が存在し得る受信状況であるか否かを判定し、前記妨害波成分が存在し得る受信状況であると判定した場合、前記切り替え部を制御して前記第１の信号経路に切り替え、切り替え前後における前記受信状況を示す値の変化量を予め定められた第２の閾値と比較した結果に基づいて前記妨害波成分が除去されたか否かを判定し、前記妨害波成分が除去されたと判定した場合、この切り替え状態を維持し、前記妨害波成分が除去されていないと判定した場合には、前記切り替え部を制御して前記第２の信号経路に戻し、最終的な切り替え状態を前記画音出力用のブランチに反映させる制御部とを備えるデジタル放送受信装置。
【請求項２】
前記制御部は、前記画音出力用のブランチが前記第１の信号経路に切り替えられた状態である場合、前記第２の閾値を初期値以下とし、前記画音出力用のブランチが前記第２の信号経路に切り替えられた状態である場合は、前記第２の閾値を前記初期値より高くすることを特徴とする請求項１記載のデジタル放送受信装置。
【請求項３】
前記制御部は、バックグラウンド処理用のブランチにおいて前記第２の信号経路に切り替え、前記妨害波成分の周波数帯に近いチャンネルを選局させた状態で前記妨害波成分の受信電力に対応する値を求め、この値を前記第１の閾値と比較した結果に基づいて、受信信号に前記妨害波成分が存在し得る受信状況であるか否かを判定し、前記妨害波成分が存在し得る受信状況と判定した場合に、前記切り替え部を制御して前記第１の信号経路に切り替え、前記妨害波成分の受信電力に対応する値の変化量を前記第２の閾値と比較した結果に基づいて、前記妨害波成分が除去されたか否かを判定することを特徴とする請求項２記載のデジタル放送受信装置。
【請求項４】
前記制御部は、前記画音出力用のブランチにおける受信周波数の受信電力が予め定められた第３の閾値以上である場合、前記第１および前記第２の閾値を初期値よりも高くすることを特徴とする請求項３記載のデジタル放送受信装置。
【請求項５】
前記制御部は、前記画音出力用のブランチの受信周波数と前記妨害波成分の周波数との周波数差が予め定められた第４の閾値以下である場合、前記第１および前記第２の閾値を初期値より低くすることを特徴とする請求項３記載のデジタル放送受信装置。
【請求項６】
前記制御部は、バックグラウンド処理用のブランチにおいて前記第２の信号経路に切り替え、前記画音出力用のブランチと同じチャンネルを選局させた状態で前記妨害波成分の受信電力に対応する値を求め、この値を前記第１の閾値と比較した結果に基づいて、受信信号に前記妨害波成分が存在し得る受信状況であるか否かを判定し、前記妨害波成分が存在し得る受信状況と判定した場合に、前記切り替え部を制御して前記第１の信号経路に切り替え、前記妨害波成分の受信電力に対応する値の変化量を前記第２の閾値と比較した結果に基づいて、前記妨害波成分が除去されたか否かを判定することを特徴とする請求項２記載のデジタル放送受信装置。
【請求項７】
前記制御部は、前記画音出力用のブランチにおける受信周波数のみの受信電力が予め定められた第３の閾値以上である場合、前記第１の閾値を初期値よりも高くすることを特徴とする請求項６記載のデジタル放送受信装置。
【請求項８】
前記制御部は、バックグラウンド処理用のブランチにおいて前記第２の信号経路に切り替え、前記画音出力用のブランチと同じチャンネルを選局させた状態で前記妨害波成分の受信電力に対応する値を求め、この値を前記第１の閾値と比較した結果に基づいて、受信信号に前記妨害波成分が存在し得る受信状況であるか否かを判定し、前記妨害波成分が存在し得る受信状況と判定した場合に、前記切り替え部を制御して前記第１の信号経路に切り替え、前記妨害波成分の除去による受信品質改善量を前記第２の閾値と比較した結果に基づいて、前記妨害波成分が除去されたか否かを判定することを特徴とする請求項１記載のデジタル放送受信装置。
【請求項９】
前記制御部は、前記画音出力用のブランチにおける受信周波数のみの受信電力が予め定められた第３の閾値以上である場合、前記第１の閾値を初期値よりも高くすることを特徴とする請求項８記載のデジタル放送受信装置。
【請求項１０】
前記制御部は、前記画音出力用のブランチが前記第１の信号経路に切り替えられた状態である場合、前記第１の閾値および前記第２の閾値を初期値以下とし、前記画音出力用のブランチが前記第２の信号経路に切り替えられた状態である場合、前記第１の閾値および前記第２の閾値を前記初期値より高くすることを特徴とする請求項８記載のデジタル放送受信装置。
【請求項１１】
アンテナを介して受信されるデジタル放送の受信信号から妨害波成分を除去するフィルタと、前記受信信号が前記フィルタを通過して次段へ伝達される第１の信号経路と前記受信信号が前記フィルタを通過せずに次段へ伝達される第２の信号経路との切り替えを行う切り替え部とをそれぞれ有する複数のブランチを備えるデジタル放送受信装置のデジタル放送受信方法であって、
制御部が、
前記複数のブランチのうち画音出力用のブランチでデジタル放送を受信している際に、残りのいずれかのバックグラウンド処理用のブランチにおいて前記第２の信号経路に切り替えられた状態で、受信状況を示す値を予め定められた第１の閾値と比較した結果に基づいて、受信信号に前記妨害波成分が存在し得る受信状況であるか否かを判定し、
前記妨害波成分が存在し得る受信状況であると判定した場合、前記切り替え部を制御して前記第１の信号経路に切り替え、切り替え前後における前記受信状況を示す値の変化量を予め定められた第２の閾値と比較した結果に基づいて、前記妨害波成分が除去されたか否かを判定し、
前記妨害波成分が除去されたと判定した場合、この切り替え状態を維持し、前記妨害波成分が除去されていないと判定した場合には、前記切り替え部を制御して前記第２の信号経路に戻し、最終的な切り替え状態を前記画音出力用のブランチに反映させるデジタル放送受信方法。
【発明の詳細な説明】
【技術分野】
【０００１】
この発明は、車両に搭載されて、地上デジタルテレビ放送を受信するデジタル放送受信装置およびデジタル放送受信方法に関する。
【背景技術】
【０００２】
地上デジタルテレビ放送の周波数帯域では、携帯電話などに利用されている周波数帯域が近接している場合がある。このため、デジタルテレビ放送波の受信において、携帯電話などの電波が電力の大きい妨害波となって放送波の受信感度が劣化する場合がある。
これに対して、特許文献１に記載の受信装置では、チューナに内蔵した妨害波除去用のフィルタのカットオフ周波数を制御することにより、妨害耐性の向上と受信感度の維持の両立を図っている。
また、特許文献２には、妨害波除去用のフィルタ回路と減衰率の可変なアッテネータ（ＲＦ減衰回路）を設けた受信装置が開示されている。このアッテネータの減衰率を、フィルタ回路を通過したＲＦ信号に応じて制御している。これにより、受信対象である地上デジタルテレビ放送の信号対雑音比の劣化を防止している。
【先行技術文献】
【特許文献】
【０００３】
【特許文献１】特開２０１０−１１８７４２号公報
【特許文献２】特開２０１１−２３８７０号公報
【発明の概要】
【発明が解決しようとする課題】
【０００４】
特許文献１に代表される従来の技術では、妨害波の電力がフィルタのカットオフ周波数の制御によっても対応可能なレベルを超えた場合、放送波の受信感度が劣化する。また、フィルタには挿入損失があるため、妨害波がなくても受信感度は常に劣化する。
特許文献２は、フィルタ回路を通過したＲＦ信号を基にして減衰率を制御しているが、上記と同様に、フィルタ回路の挿入損失による受信感度の劣化は避けられない。
また、特許文献２の受信装置は、画音（映像および音声）出力用のＲＦ信号を受信しているときにアッテネータの減衰率が調整された場合、受信電力の変動によって画音に乱れが発生する可能性がある。
【０００５】
この発明は、上記のような課題を解決するためになされたもので、デジタル放送の受信感度の劣化を防ぎ、かつ画音の乱れを低減することができるデジタル放送受信装置およびデジタル放送受信方法を得ることを目的とする。
【課題を解決するための手段】
【０００６】
この発明に係るデジタル放送受信装置は、アンテナを介して受信されるデジタル放送の受信信号から妨害波成分を除去するフィルタと、受信信号がフィルタを通過して次段へ伝達される第１の信号経路と受信信号がフィルタを通過せずに次段へ伝達される第２の信号経路との切り替えを行う切り替え部とをそれぞれ有する複数のブランチと、複数のブランチのうち画音出力用のブランチでデジタル放送を受信している際に、残りのいずれかのバックグラウンド処理用のブランチにおいて第２の信号経路に切り替えられた状態で、受信状況を示す値を予め定められた第１の閾値と比較した結果に基づいて、受信信号に妨害波成分が存在し得る受信状況であるか否かを判定し、妨害波成分が存在し得る受信状況であると判定した場合、切り替え部を制御して第１の信号経路に切り替え、切り替え前後における受信状況を示す値の変化量を予め定められた第２の閾値と比較した結果に基づいて、妨害波成分が除去されたか否かを判定し、妨害波成分が除去されたと判定した場合、この切り替え状態を維持し、妨害波成分が除去されていないと判定した場合には、切り替え部を制御して第２の信号経路に戻し、最終的な切り替え状態を画音出力用のブランチに反映させる制御部とを備える。
【発明の効果】
【０００７】
この発明によれば、デジタル放送の受信感度の劣化を防ぎ、かつ画音の乱れを低減することができるという効果がある。
【図面の簡単な説明】
【０００８】
【図１】この発明の実施の形態１に係るデジタル放送受信装置の構成を示すブロック図である。
【図２】実施の形態１に係るデジタル放送受信方法を示すフローチャートである。
【図３】妨害波用フィルタの減衰特性例を示す図である。
【図４】この発明の実施の形態２に係るデジタル放送受信装置の構成を示すブロック図である。
【図５】実施の形態２に係るデジタル放送受信方法を示すフローチャートである。
【図６】この発明の実施の形態３に係るデジタル放送受信装置の構成を示すブロック図である。
【図７】実施の形態３に係るデジタル放送受信方法を示すフローチャートである。
【発明を実施するための形態】
【０００９】
実施の形態１．
図１は、この発明の実施の形態１に係るデジタル放送受信装置の構成を示すブロック図である。図１において、デジタル放送受信装置１００は、車両などの移動体に搭載または持ち込まれて、デジタル放送を受信するデジタル放送受信装置であり、ブランチＡ，Ｂ、ＭＰＥＧデコード部１０５、出力部１０６および制御部１０７を備えて構成される。
ブランチＡは、アンテナ１０１ａ、スイッチ付きフィルタ１０２ａ、選局部１０３ａ、およびＯＦＤＭ（Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ）復調部１０４ａを備える。また、ブランチＢも同様に、アンテナ１０１ｂ、スイッチ付きフィルタ１０２ｂ、選局部１０３ｂ、およびＯＦＤＭ復調部１０４ｂを備える。
【００１０】
スイッチ付きフィルタ１０２ａは、フィルタ１０２ａ−３と、スイッチ１０２ａ−１，１０２ａ−２を有する。フィルタ１０２ａ−３は、アンテナ１０１ａを介して受信されるデジタル放送の受信信号から妨害波成分を除去する。例えば、デジタル放送受信装置１００が地上デジタルテレビ放送を受信する場合、携帯電話などに利用されている周波数帯域が妨害波成分となる。また、スイッチ１０２ａ−１，１０２ａ−２は、スイッチ制御信号１０８ａに従って受信信号の経路を信号経路１０２ａ−４または信号経路１０２ａ−５に切り替える。信号経路１０２ａ−４は受信信号がフィルタ１０２ａ−３を通過して次段へ伝達される第１の信号経路である。信号経路１０２ａ−５は受信信号がフィルタ１０２ａ−３を通過せずに次段へ伝達される第２の信号経路である。
【００１１】
スイッチ付きフィルタ１０２ｂは、スイッチ付きフィルタ１０２ａと同様に、スイッチ１０２ｂ−１，１０２ｂ−２とフィルタ１０２ｂ−３を有する。
スイッチ１０２ｂ−１，１０２ｂ−２は、スイッチ制御信号１０８ｂに従って、受信信号がフィルタ１０２ｂ−３を通過して次段へ伝達される信号経路（第１の信号経路）１０２ｂ−４と、受信信号がフィルタ１０２ｂ−３を通過せずに次段へ伝達される信号経路（第２の信号経路）１０２ｂ−５との切り替えを行う。
また、フィルタ１０２ｂ−３は、スイッチ付きフィルタ１０２ａのフィルタ１０２ａ−３と同じフィルタであり、携帯電話などに利用されている周波数帯域の信号を妨害波成分として除去する。このようにスイッチ付きフィルタ１０２ａ，１０２ｂは、同じフィルタ１０２ａ−３，１０２ｂ−３を備えているので、一方のブランチにおいて判断したフィルタのＯＮ、ＯＦＦ（受信信号をフィルタに通すか否か）状態を、他方のブランチにそのまま反映することができる。
【００１２】
選局部１０３ａ，１０３ｂは、アンテナ１０１ａ，１０１ｂにより受信されたデジタル放送の受信信号を、スイッチ付きフィルタ１０２ａ，１０２ｂを介して入力し、入力した受信信号から選局チャンネルの受信信号を抽出する。
また、選局部１０３ａ，１０３ｂは、ＡＧＣ制御信号１１０ａ，１１０ｂのうち、ＲＦＡＧＣ制御信号に基づいて、ＲＦ信号である受信信号に対してＲＦ帯域の自動利得制御（以下、ＲＦＡＧＣと記載する）を実施する。
さらに、選局部１０３ａ，１０３ｂは、ＲＦＡＧＣされた受信信号を中間周波数（ＩＦ）のＩＦ信号に変換し、ＡＧＣ制御信号１１０ａ，１１０ｂのうち、ＩＦＡＧＣ制御信号に基づいてＩＦ帯域の自動利得制御（以下、ＩＦＡＧＣと記載する）を実施する。
【００１３】
ＯＦＤＭ復調部１０４ａ，１０４ｂは、選局部１０３ａ，１０３ｂから入力したＩＦ信号をアナログ信号からデジタル信号に変換してＦＦＴ（Ｆａｓｔ  Ｆｏｕｒｉｅｒ  Ｔｒａｎｓｆｏｒｍ）処理を実施する。次に、ＯＦＤＭ復調部１０４ａ，１０４ｂは、ＦＦＴ処理した信号をキャリア復調し、その出力を誤り訂正してトランスポートストリーム信号（以下、ＴＳ信号と記載する）を出力する。また、ＯＦＤＭ復調部１０４ａ，１０４ｂでは、選局部１０３ａ，１０３ｂに対してＡＧＣ制御信号１１０ａ，１１０ｂを出力する。
【００１４】
ＭＰＥＧデコード部１０５は、ＯＦＤＭ復調部１０４ａ，１０４ｂから出力されたＴＳ信号を入力し、ＴＳ信号をデコードして映像信号と音声信号を出力する。
出力部１０６は、ＭＰＥＧデコード部１０５から映像信号と音声信号を入力して、映像信号を表示し音声信号を音出力する。例えば、デジタル放送受信装置１００が備える表示部やスピーカである。なお、出力部１０６は、外部装置が備えるものを利用してもよい。
【００１５】
制御部１０７は、デジタル放送受信装置１００内の構成要素の動作を制御する。
特に、制御部１０７は、画音出力用のブランチＡでデジタル放送を受信している際に、バックグラウンド処理用のブランチＢにおいて信号経路１０２ｂ−５に切り替えた状態で、受信状況を示す値を予め定められた閾値１（第１の閾値）と比較した結果に基づいて受信信号に妨害波成分が存在し得る受信状況であるか否かを判定する。
そして、制御部１０７は、妨害波成分が存在し得る受信状況であると判定した場合に、スイッチ１０２ｂ−１，１０２ｂ−２を制御して信号経路１０２ｂ−４に切り替え、切り替え前後における受信状況を示す値の変化量を予め定められた閾値２（第２の閾値）と比較した結果に基づいて妨害波成分が除去されたか否かを判定する。
妨害波成分が除去されたと判定した場合に、制御部１０７は、切り替え状態を維持し、妨害波成分が除去されていないと判定した場合には、スイッチ１０２ｂ−１，１０２ｂ−２を制御して信号経路１０２ｂ−５に戻し、この切り替え状態を画音出力用のブランチＡに反映させる。なお、受信状況を示す値としては、妨害波成分の受信電力（以下、妨害波電力と記載する）が挙げられる。
【００１６】
実施の形態１では、妨害波電力に対応する値として妨害波電力の推定値を求める。
例えば、ＲＦＡＧＣ値１０９ｂに基づいて妨害波電力値を推定し、閾値１は、この推定値についての閾値である。
また信号経路１０２ｂ−５から信号経路１０２ｂ−４に切り替えたときの妨害波電力に対応する値の変化量として、切り替え前後のＲＦＡＧＣ値１０９ｂに基づいて妨害波電力の推定値の差を求める。閾値２は、この妨害波電力の推定値の差についての閾値である。
【００１７】
次に動作について説明する。
図２は実施の形態１に係るデジタル放送受信方法を示すフローチャートであって、デジタル放送受信装置１００によるフィルタのＯＮ、ＯＦＦ判断に関する処理を示している。
図２に示す一連の処理は、予め定められた周期で実施するか、画音出力する放送番組を変更する直前、またはフィルタをＯＦＦ状態としたときの受信電力が予め定められた閾値（閾値３）を超えた場合に実施してもよい。
なお、以降の説明では、ブランチＡを画音出力用のブランチとし、ブランチＢをバックグラウンド処理用のブランチとしている。
【００１８】
まず、制御部１０７は、画音出力用のブランチＡでデジタル放送を受信している際に、ブランチＢにおけるスイッチ付きフィルタ１０２ｂに対してスイッチ制御信号１０８ｂを出力する。スイッチ付きフィルタ１０２ｂにおいて、スイッチ１０２ｂ−１，１０２ｂ−２は、制御部１０７からのスイッチ制御信号１０８ｂに従ってフィルタをＯＦＦ（スルー）、すなわち信号経路１０２ｂ−５に切り替える（ステップＳＴ１）。
【００１９】
次に、制御部１０７は、選局部１０３ｂに指示して、フィルタ１０２ｂ−３が除去する妨害波成分の周波数帯に近いチャンネル（ＣＨ）を選局する（ステップＳＴ２）。
例えば、デジタル放送受信装置１００がデジタルテレビ放送を受信する場合において、図３に示すように、デジタルテレビ放送の周波数帯域（約４７０ＭＨｚ〜約７００ＭＨｚ）には、隣接した妨害波発生帯域（約７００ＭＨｚ〜約７７０ＭＨｚ）がある。
【００２０】
この妨害波発生帯域は携帯電話などに利用されている周波数帯域であり、携帯電話などの信号が妨害波成分となる。このため、妨害波成分が存在する場合は、フィルタ１０２ａ−３，１０２ｂ−３を用いて妨害波発生帯域の受信電力を減衰させる必要がある。
しかし、フィルタ１０２ａ−３，１０２ｂ−３を常にＯＮ、すなわち、受信信号を常にフィルタ１０２ａ−３，１０２ｂ−３に通過させた場合、妨害波成分が存在しなくても、妨害波発生帯域の受信電力が減衰されて受信感度が劣化する。
【００２１】
そこで、制御部１０７は、ブランチＢで妨害波成分による影響が大きい妨害波発生帯域（約７００ＭＨｚ〜約７７０ＭＨｚ）に近いＣＨ（例えば７００ＭＨｚ程度）を選局し、この状態で選局部１０３ｂからＲＦＡＧＣ値１０９ｂを取得する（ステップＳＴ３）。
ＲＦＡＧＣ値１０９ｂはＲＦＡＧＣ電圧を示している。
妨害波成分が存在する場合、信号レベルが一定になるように妨害波成分を含む受信信号の利得が下げられるため、ＲＦＡＧＣ値１０９ｂは低い値となる。
一方、妨害波成分が存在しない場合は、妨害波成分による受信電力の増加がないので、ＲＦＡＧＣ値１０９ｂは、受信信号に妨害波成分が含まれる場合と比して高い値となる。
ここでは、ブランチＢにおいて妨害波成分の周波数帯に近いＣＨを選局しているので、制御部１０７は、例えばＲＦＡＧＣ値１０９ｂを受信レベルに換算することにより、妨害波電力に対応する値を推定する。
【００２２】
制御部１０７は、上述のようにして推定した妨害波電力に対応する値が閾値１以上であるか否かを判定する（ステップＳＴ５）。
ここで、妨害波電力に対応する値が閾値１未満である場合（ステップＳＴ５；ＮＯ）、制御部１０７は、妨害波成分が存在し得ない受信状況であると判断し、ステップＳＴ１２の処理に移行する。ステップＳＴ１２において、制御部１０７は、現在の信号経路１０２ｂ−５に切り替えた状態（フィルタＯＦＦ状態）を、最終的な判断結果としてブランチＡに反映させる。例えば、ブランチＡがフィルタＯＮ状態の場合、制御部１０７は、スイッチ制御信号１０８ａによってスイッチ１０２ａ−１，１０２ａ−２を制御して信号経路１０２ａ−４に切り替えさせる。
【００２３】
妨害波電力に対応する値が閾値１以上である場合（ステップＳＴ５；ＹＥＳ）、制御部１０７は、受信信号に妨害波成分が含まれ得る受信状況であると判断して、フィルタ１０２ｂ−３をＯＮ、すなわちスイッチ１０２ｂ−１，１０２ｂ−２を制御することにより信号経路１０２ｂ−４に切り替える（ステップＳＴ６）。
次に、制御部１０７は、選局部１０３ｂから現在のＲＦＡＧＣ値１０９ｂを取得し（ステップＳＴ７）、取得したＲＦＡＧＣ値１０９ｂを受信レベルに換算して妨害波電力に対応する値を推定する（ステップＳＴ８）。
続いて、制御部１０７は、信号経路１０２ｂ−５から信号経路１０２ｂ−４に切り替える前後に推定した妨害波電力に対応する値の差分、すなわち妨害波電力の変化量を算出する（ステップＳＴ９）。
【００２４】
次に、制御部１０７は、算出した妨害波電力の変化量が閾値２以上であるか否かを判定する（ステップＳＴ１０）。妨害波電力の変化量が閾値２以上である場合（ステップＳＴ１０；ＹＥＳ）、制御部１０７は、電力の大きい妨害波成分が存在する受信状況であると判断し、ステップＳＴ１２の処理に移行する。ステップＳＴ１２において、制御部１０７は、現在の信号経路１０２ｂ−４に切り替えた状態（フィルタＯＮ状態）を、最終的な判断結果としてブランチＡに反映させる。
【００２５】
一方、妨害波電力の変化量が閾値２未満である場合（ステップＳＴ１０；ＮＯ）、制御部１０７は、フィルタ１０２ｂ−３が除去すべき周波数帯域以外の雑音電力による影響で受信電力が上昇したと判断し、フィルタ１０２ｂ−３の挿入損失による受信品質の劣化を防ぐため、フィルタ１０２ｂ−３をＯＦＦ、すなわちスイッチ１０２ｂ−１，１０２ｂ−２を制御して信号経路１０２ｂ−５に切り替える（ステップＳＴ１１）。
この後、ステップＳＴ１２において、制御部１０７は、現在の信号経路１０２ｂ−５に切り替えた状態（フィルタＯＦＦ状態）を、最終的な判断結果としてブランチＡに反映させる。
【００２６】
上述したフローチャートの処理の初回以降の開始前には、下記の状況を確認して判定に使用する閾値を調整する。
画音出力用のブランチＡにおいてフィルタ１０２ａ−３がＯＮ状態の場合、制御部１０７は、閾値２を初期値以下に調整する。また、ブランチＡにおいてフィルタ１０２ａ−３がＯＦＦ状態の場合には、制御部１０７は、閾値２を初期値よりも高く調整する。
最終的な切り替え状態を判断するための閾値２が固定値であると、閾値２付近で妨害波電力がふらついた場合、頻繁にフィルタのＯＮ、ＯＦＦが切り替わる。そして、この判断結果をその都度ブランチＡに反映させると、受信中の画音に乱れが発生する。
そこで、上述のように閾値２による判断にヒステリシスを持たせることにより、頻繁にフィルタのＯＮ、ＯＦＦの切り替わりが低減されて、画音の乱れをさらに抑制することができる。
【００２７】
また、ブランチＡで受信ＣＨの受信電力が予め定められた閾値３以上である場合、閾値１，２を初期値よりも高く調整する。例えば、制御部１０７に画音出力用のブランチＡの受信電力に関する閾値３を予め設定しておき、選局部１０３ａから取得したＲＦＡＧＣ値１０９ａまたはＩＦＡＧＣ値を用いて受信ＣＨの受信電力を推定する。妨害波による影響は、受信中のチャンネルの受信電力と妨害波電力との比に依存する。
そこで、受信ＣＨの受信電力が閾値３以上である場合に閾値１，２も高く調整することで、実際の受信状況に応じて閾値１，２を調整することが可能となる。
【００２８】
また、制御部１０７は、画音出力用のブランチＡの受信周波数と妨害波成分の周波数との周波数差が予め定められた閾値４以下である場合、閾値１，２を初期値より低くしてもよい。すなわちブランチＡが受信中のチャンネル周波数が妨害波成分の周波数帯域に近い場合、妨害波成分の影響を受けやすい状況であることから、閾値１，２を初期値より低くして判定の感度を上げる。このようにすることでも、実際の受信状況に応じて閾値１，２を調整することが可能となる。
【００２９】
以上のように、この実施の形態１によれば、デジタル放送受信装置１００が、アンテナ１０１ａ，１０１ｂを介して受信されるデジタル放送の受信信号から妨害波成分を除去するフィルタ１０２ａ−３，１０２ｂ−３と、受信信号がフィルタ１０２ａ−３，１０２ｂ−３を通過して次段へ伝達される信号経路１０２ａ−４，１０２ｂ−４と受信信号がフィルタ１０２ａ−３，１０２ｂ−３を通過せずに次段へ伝達される信号経路１０２ａ−５，１０２ｂ−５との切り替えを行うスイッチ１０２ａ−１，１０２ａ−２，１０２ｂ−１，１０２ｂ−２とをそれぞれ有するブランチＡ，Ｂを備える。
デジタル放送受信装置１００の制御部１０７は、ブランチＡ，Ｂのうち、画音出力用のブランチＡでデジタル放送を受信している際に、バックグラウンド処理用のブランチＢにおいて信号経路１０２ｂ−５に切り替えられた状態で、受信状況を示す値を予め定められた閾値１と比較した結果に基づいて受信信号に妨害波成分が存在し得る受信状況であるか否かを判定する。そして、制御部１０７は、妨害波成分が存在し得る受信状況であると判定した場合、スイッチ１０２ｂ−１，１０２ｂ−２を制御して信号経路１０２ｂ−４に切り替え、受信状況を示す値の変化量を閾値２と比較した結果に基づいて妨害波成分が除去されたか否かを判定する。
妨害波成分が除去されたと判定した場合に、制御部１０７は、上記切り替え状態を維持し、妨害波成分が除去されていないと判定した場合は、スイッチ１０２ｂ−１，１０２ｂ−２を制御して信号経路１０２ｂ−５に戻し、この切り替え状態を画音出力用のブランチＡに反映させる。
このように妨害波が無い状況ではフィルタをＯＦＦにすることでフィルタの挿入損失の影響による感度劣化を防ぐことができる。また、バックグラウンド処理用のブランチＢでフィルタ切り替えを判断することで、ブランチＡで切り替え判断を行う場合と比較して、画音出力用のブランチにおけるフィルタ切り替えによる画音の乱れを最小限に抑えることができる。
【００３０】
また、この実施の形態１によれば、制御部１０７は、画音出力用のブランチＡが信号経路１０２ａ−４に切り替えられた状態である場合、閾値２を初期値以下とし、画音出力用のブランチＡが信号経路１０２ａ−５に切り替えられた状態である場合は、閾値２を初期値より高くする。このようにすることで、閾値２による判断にヒステリシスを持たせることができ、フィルタのＯＮ、ＯＦＦの切り替わり回数が低減されて、画音の乱れをさらに抑制することができる。
【００３１】
さらに、この実施の形態１によれば、制御部１０７は、バックグラウンド処理用のブランチＢにおいて信号経路１０２ｂ−５に切り替え、妨害波成分の周波数帯に近いＣＨを選局させた状態で、妨害波成分の受信電力に対応する値（受信状況を示す値）を求め、この値を閾値１と比較した結果に基づいて受信信号に妨害波成分が存在し得る受信状況であるか否かを判定し、妨害波成分が存在し得る受信状況と判定した場合に、スイッチ１０２ｂ−１，１０２ｂ−２を制御して信号経路１０２ｂ−４に切り替え、妨害波成分の受信電力に対応する値の変化量を閾値２と比較した結果に基づいて、妨害波成分が除去されたか否かを判定する。このようにすることで、妨害波成分の影響を受けやすい周波数帯域においてフィルタのＯＮ、ＯＦＦを正確に判定することができる。
【００３２】
さらに、この実施の形態１によれば、制御部１０７は、画音出力用のブランチＡにおける受信周波数の受信電力が予め定められた閾値３以上である場合、閾値１，２を初期値より高くする。このように受信ＣＨの受信電力が閾値３以上である場合に閾値１，２も高く調整することで、実際の受信状況に応じて閾値１，２を調整することができる。
【００３３】
さらに、この実施の形態１によれば、制御部１０７は、画音出力用のブランチＡの受信周波数と妨害波成分の周波数との周波数差が予め定められた閾値４以下である場合、閾値１，２を初期値より低くする。このように妨害波成分の影響を受けやすい状況で閾値１，２を初期値より低くして判定の感度を上げることで、実際の受信状況に応じて閾値１，２を調整することが可能となる。
【００３４】
実施の形態２．
図４は、この発明の実施の形態２に係るデジタル放送受信装置の構成を示すブロック図である。図４に示すように、実施の形態２に係るデジタル放送受信装置１００Ａは、図１の構成と基本的に同じであるが、バックグラウンド処理用のブランチＢにおいて画音出力用のブランチＡ（以下、メイン側のブランチＡと記載する）と同じチャンネルを選局し、制御部１０７Ａが、ＲＦＡＧＣ値１０９ｂとＩＦＡＧＣ値１１１ｂに基づいて妨害波電力の変化量を推定する点で異なる。
なお、図４において、図１と同一または同様に機能する構成要素には同一符号を付して説明を省略する。
【００３５】
次に動作について説明する。
図５は、実施の形態２に係るデジタル放送受信方法を示すフローチャートであり、デジタル放送受信装置１００ＡによるフィルタのＯＮ、ＯＦＦ判断に関する処理を示している。また、図５に示す一連の処理は、予め定められた周期で実施するか、画音出力する放送番組を変更する直前、またはフィルタをＯＦＦ状態としたときの受信電力が予め定められた閾値（閾値３）を超えた場合に実施してもよい。
なお、以降の説明では、実施の形態１と同様に、ブランチＡを画音出力用のブランチ（メイン側）とし、ブランチＢをバックグラウンド処理用のブランチとしている。
【００３６】
まず、制御部１０７Ａは、メイン側のブランチＡでデジタル放送を受信している際に、ブランチＢにおけるスイッチ付きフィルタ１０２ｂに対してスイッチ制御信号１０８ｂを出力する。スイッチ付きフィルタ１０２ｂにおいてスイッチ１０２ｂ−１，１０２ｂ−２は、制御部１０７からのスイッチ制御信号１０８ｂに従ってフィルタをＯＦＦ（スルー）、すなわち信号経路１０２ｂ−５に切り替える（ステップＳＴ１ａ）。
【００３７】
次に、制御部１０７Ａは、選局部１０３ｂに指示して、ブランチＢにおいてメイン側と同じＣＨを選局する（ステップＳＴ２ａ）。
続いて、制御部１０７Ａは、選局部１０３ｂからＲＦＡＧＣ値１０９ｂを取得し、ＯＦＤＭ復調部１０４ｂからＩＦＡＧＣ値１１１ｂを取得する（ステップＳＴ３ａ）。
ここで、ＲＦＡＧＣ値１０９ｂはＲＦＡＧＣ電圧であり、ＩＦＡＧＣ値１１１ｂはＩＦＡＧＣ電圧である。
妨害波成分が存在する場合、妨害波成分が存在しない場合に比して、ＲＦＡＧＣ値１０９ｂは低い値となり、ＩＦＡＧＣ値１１１ｂは高い値となる。
そこで、制御部１０７Ａは、ＲＦＡＧＣ値１０９ｂとＩＦＡＧＣ値１１１ｂから予め保持しているＲＦＡＧＣ値およびＩＦＡＧＣ値に妨害波電力を対応させたテーブルを参照し、妨害波電力を推定する（ステップＳＴ４ａ）。
【００３８】
制御部１０７Ａは、上述のようにして推定した妨害波電力に対応する値が閾値１以上であるか否かを判定する（ステップＳＴ５ａ）。
妨害波電力に対応する値が閾値１未満である場合（ステップＳＴ５ａ；ＮＯ）、制御部１０７Ａは、妨害波成分が存在し得ない受信状況であると判断して、ステップＳＴ１１ａの処理に移行する。ステップＳＴ１１ａにおいて、制御部１０７Ａは、現在の信号経路１０２ｂ−５に切り替えた状態（フィルタＯＦＦ状態）を、最終的な判断結果としてブランチＡに反映させる。例えば、ブランチＡがフィルタＯＮ状態の場合、制御部１０７Ａは、スイッチ制御信号１０８ａによってスイッチ１０２ａ−１，１０２ａ−２を制御して信号経路１０２ａ−４に切り替えさせる。
【００３９】
妨害波電力に対応する値が閾値１以上である場合（ステップＳＴ５ａ；ＹＥＳ）、制御部１０７Ａは、受信信号に妨害波成分が含まれ得る受信状況であると判断して、フィルタ１０２ｂ−３をＯＮ、すなわちスイッチ１０２ｂ−１，１０２ｂ−２を制御することにより信号経路１０２ｂ−４に切り替える（ステップＳＴ６ａ）。
実施の形態２では、ブランチＢもブランチＡと同じＣＨを受信しているので、この段階でフィルタ１０２ｂ−３の除去対象である妨害波成分の電力によって受信電力が増加したかどうかが判断できない。そこで、フィルタ１０２ｂ−３をＯＮとして受信電力の変化量から最終的な判断を行う。
【００４０】
なお、制御部１０７Ａは、メイン側のブランチＡにおける受信周波数（ＣＨ）のみの受信電力が予め定められた閾値３より高い場合、閾値１を初期値よりも高くする。上述したように、この段階でフィルタ１０２ｂ−３の除去対象である妨害波成分の電力によって受信電力が増加したかどうかが判断できない。このため、ブランチＡの受信ＣＨのみの受信電力が高ければ、所望の受信ＣＨの電力が高い状態であると判断し、閾値１を高くして、妨害波成分が存在し得る受信状況の判定感度を下げる。このようにすることで、実際の受信状況に応じて閾値１を調整することが可能となる。
【００４１】
次に、制御部１０７Ａは、選局部１０３ｂから現在のＲＦＡＧＣ値１０９ｂを取得し、ＯＦＤＭ復調部１０４ｂからＩＦＡＧＣ値１１１ｂを取得する（ステップＳＴ７ａ）、取得したＲＦＡＧＣ値１０９ｂとＩＦＡＧＣ値１１１ｂから予め保持しているＲＦＡＧＣ値およびＩＦＡＧＣ値に妨害波電力を対応させたテーブルを参照し、妨害波電力を推定する。そして、制御部１０７Ａは、信号経路１０２ｂ−５から信号経路１０２ｂ−４に切り替える前後に推定した妨害波電力に対応する値の差分、すなわち妨害波電力の変化量を算出する（ステップＳＴ８ａ）。
【００４２】
次に、制御部１０７Ａは、算出した妨害波電力の変化量が閾値２以上であるか否かを判定する（ステップＳＴ９ａ）。妨害波電力の変化量が閾値２以上である場合（ステップＳＴ９ａ；ＹＥＳ）、制御部１０７Ａは、電力の大きい妨害波成分が存在する受信状況であると判断し、ステップＳＴ１１ａの処理に移行する。ステップＳＴ１１ａにおいて、制御部１０７Ａは、現在の信号経路１０２ｂ−４に切り替えた状態（フィルタＯＮ状態）を、最終的な判断結果としてブランチＡに反映させる。
【００４３】
一方、妨害波電力の変化量が閾値２未満である場合（ステップＳＴ９ａ；ＮＯ）、制御部１０７Ａは、フィルタ１０２ｂ−３が除去すべき周波数帯域以外の雑音電力による影響で受信電力が上昇したと判断し、フィルタ１０２ｂ−３の挿入損失による受信品質の劣化を防ぐため、フィルタ１０２ｂ−３をＯＦＦ、すなわちスイッチ１０２ｂ−１，１０２ｂ−２を制御して信号経路１０２ｂ−５に切り替える（ステップＳＴ１０ａ）。
この後、ステップＳＴ１１ａにおいて、制御部１０７Ａは、現在の信号経路１０２ｂ−５に切り替えた状態（フィルタＯＦＦ状態）を最終的な判断結果としてブランチＡに反映させる。
【００４４】
なお、上述したフローチャートの処理の初回以降の開始前には、下記の状況を確認して判定に使用する閾値を調整する。
ブランチＡにおいてフィルタ１０２ａ−３がＯＮ状態の場合、制御部１０７Ａは、閾値２を初期値以下に調整する。またブランチＡにおいてフィルタ１０２ａ−３がＯＦＦ状態である場合には、制御部１０７Ａは、閾値２を初期値よりも高く調整する。
最終的な切り替え状態を判断するための閾値２が固定値であると、閾値２付近で妨害波電力がふらついた場合、頻繁にフィルタのＯＮ、ＯＦＦが切り替わって、この判断結果をブランチＡにその都度反映させると、受信中の画音に乱れが発生する。
そこで、上述のように閾値２による判断にヒステリシスを持たせることにより、頻繁にフィルタのＯＮ、ＯＦＦの切り替わりが低減されて、画音の乱れをさらに抑制することができる。
【００４５】
以上のように、この実施の形態２によれば、制御部１０７Ａは、バックグラウンド処理用のブランチＢにおいて信号経路１０２ｂ−５に切り替え、画音出力用のブランチＡと同じチャンネルを選局させた状態で妨害波成分の受信電力に対応する値を求め、この値を閾値１と比較した結果に基づいて受信信号に妨害波成分が存在し得る受信状況であるか否かを判定し、妨害波成分が存在し得る受信状況と判定した場合に、スイッチ１０２ｂ−１，１０２ｂ−２を制御して信号経路１０２ｂ−４に切り替え、妨害波成分の受信電力に対応する値の変化量を閾値２と比較した結果に基づいて、妨害波成分が除去されたか否かを判定する。このようにすることで、実施の形態１と同様に、デジタル放送の受信感度の劣化を防ぎ、かつ画音の乱れを低減することができる。
【００４６】
また、この実施の形態２によれば、制御部１０７Ａは、画音出力用のブランチＡにおける受信周波数（ＣＨ）のみの受信電力が予め定められた閾値３より高い場合、閾値１を初期値よりも高くする。ブランチＡの受信ＣＨのみの受信電力が高ければ、所望の受信ＣＨの電力が高い状態であると判断される。これにより閾値１を高くして妨害波成分が存在し得る受信状況の判定感度を下げることで、実際の受信状況に応じて閾値１を調整することが可能となる。
【００４７】
実施の形態３．
図６は、この発明の実施の形態３に係るデジタル放送受信装置の構成を示すブロック図である。図６に示すように、実施の形態３に係るデジタル放送受信装置１００Ｂは、図１の構成と基本的に同じであるが、バックグラウンド処理用のブランチＢにおいてメイン側のブランチＡと同じチャンネルを選局し、制御部１０７Ｂが、受信品質の改善量から最終的なフィルタ切り替え状態を判定する点で異なる。
なお、図６において、図１と同一または同様に機能する構成要素には同一符号を付して説明を省略する。
【００４８】
次に動作について説明する。
図７は、実施の形態３に係るデジタル放送受信方法を示すフローチャートであり、デジタル放送受信装置１００ＢによるフィルタのＯＮ、ＯＦＦ判断に関する処理を示している。また、図７に示す一連の処理は、予め定められた周期で実施するか、画音出力する放送番組を変更する直前、またはフィルタをＯＦＦ状態としたときの受信電力が予め定められた閾値（閾値３）を超えた場合に実施してもよい。
なお、以降の説明では、実施の形態１と同様に、ブランチＡを画音出力用のブランチ（メイン側）とし、ブランチＢをバックグラウンド処理用のブランチとしている。
【００４９】
まず、制御部１０７Ｂは、メイン側のブランチＡでデジタル放送を受信している際に、ブランチＢにおけるスイッチ付きフィルタ１０２ｂに対してスイッチ制御信号１０８ｂを出力する。スイッチ付きフィルタ１０２ｂにおいてスイッチ１０２ｂ−１，１０２ｂ−２は、制御部１０７からのスイッチ制御信号１０８ｂに従ってフィルタをＯＦＦ（スルー）、すなわち信号経路１０２ｂ−５に切り替える（ステップＳＴ１ｂ）。
【００５０】
次に、制御部１０７Ｂは、選局部１０３ｂに指示して、ブランチＢにおいてメイン側と同じＣＨを選局する（ステップＳＴ２ｂ）。
続いて、制御部１０７Ｂは、選局部１０３ｂからＲＦＡＧＣ値１０９ｂを取得し、ＯＦＤＭ復調部１０４ｂからＩＦＡＧＣ値１１１ｂおよび受信品質値１１２ｂを取得する（ステップＳＴ３ｂ）。受信品質値１１２ｂとは、受信信号の品質を示す値であり、例えば、Ｃ／Ｎ比（Ｃａｒｒｉｅｒ／Ｎｏｉｓｅ比）が挙げられる。また、ＲＦＡＧＣ値１０９ｂはＲＦＡＧＣ電圧であり、ＩＦＡＧＣ値１１１ｂはＩＦＡＧＣ電圧である。
妨害波成分が存在する場合、妨害波成分が存在しない場合に比して、ＲＦＡＧＣ値１０９ｂは低い値となり、ＩＦＡＧＣ値１１１ｂは高い値となる。
そこで、制御部１０７Ｂは、ＲＦＡＧＣ値１０９ｂとＩＦＡＧＣ値１１１ｂから予め保持しているＲＦＡＧＣ値およびＩＦＡＧＣ値に妨害波電力を対応させたテーブルを参照し、妨害波電力を推定する（ステップＳＴ４ｂ）。
【００５１】
制御部１０７Ｂは、推定した妨害波電力に対応する値が閾値１以上であるか否かを判定する（ステップＳＴ５ｂ）。
妨害波電力に対応する値が閾値１未満である場合（ステップＳＴ５ｂ；ＮＯ）、制御部１０７Ｂは、妨害波成分が存在し得ない受信状況であると判断して、ステップＳＴ１１ｂの処理に移行する。ステップＳＴ１１ｂにおいて、制御部１０７Ｂは、現在の信号経路１０２ｂ−５に切り替えた状態（フィルタＯＦＦ状態）を、最終的な判断結果としてブランチＡに反映させる。例えば、ブランチＡがフィルタＯＮ状態の場合、制御部１０７Ｂは、スイッチ制御信号１０８ａによってスイッチ１０２ａ−１，１０２ａ−２を制御して信号経路１０２ａ−４に切り替えさせる。
【００５２】
妨害波電力に対応する値が閾値１以上である場合（ステップＳＴ５ｂ；ＹＥＳ）、制御部１０７Ｂは、受信信号に妨害波成分が含まれ得る受信状況であると判断して、フィルタ１０２ｂ−３をＯＮ、すなわちスイッチ１０２ｂ−１，１０２ｂ−２を制御することにより信号経路１０２ｂ−４に切り替える（ステップＳＴ６ｂ）。
実施の形態３においても、実施の形態２と同様に、ブランチＢもブランチＡと同じＣＨを受信しているので、この段階でフィルタ１０２ｂ−３の除去対象である妨害波成分の電力によって受信電力が増加したかどうかが判断できない。そこで、フィルタ１０２ｂ−３をＯＮとして受信品質改善量から最終的な判断を行う。
【００５３】
なお、制御部１０７Ｂは、メイン側のブランチＡにおける受信周波数（ＣＨ）のみの受信電力が予め定められた閾値３より高い場合、閾値１を初期値よりも高くする。
上述したように、この段階でフィルタ１０２ｂ−３の除去対象である妨害波成分の電力によって受信電力が増加したかどうかが判断できない。このため、ブランチＡの受信ＣＨのみの受信電力が高ければ、所望の受信ＣＨの電力が高い状態であると判断し、閾値１を高くして、妨害波成分が存在し得る受信状況の判定感度を下げる。
このようにすることで、実際の受信状況に応じて閾値１を調整することが可能となる。
【００５４】
次に、制御部１０７Ｂは、ＯＦＤＭ復調部１０４ｂから受信品質値１１２ｂを取得する（ステップＳＴ７ａ）。受信品質値１１２ａ，１１２ｂは、上述したように、受信信号の品質を示す値であり、例えばＣ／Ｎ比（Ｃａｒｒｉｅｒ／Ｎｏｉｓｅ比）が挙げられる。
そして、制御部１０７Ｂは、信号経路１０２ｂ−５から信号経路１０２ｂ−４に切り替える前後の受信品質値１１２ｂの差分、すなわち、受信品質改善量を算出する（ステップＳＴ８ｂ）。
【００５５】
次に、制御部１０７Ｂは、算出した受信品質改善量が閾値２以上であるか否かを判定する（ステップＳＴ９ｂ）。なお、実施の形態３では、閾値２は、受信品質改善量に関する閾値となる。
ここで、受信品質改善量が閾値２以上である場合（ステップＳＴ９ｂ；ＹＥＳ）、制御部１０７Ｂは、妨害波成分が除去されて受信品質が改善した受信状況であると判断して、ステップＳＴ１１ｂの処理に移行する。
ステップＳＴ１１ｂにおいて、制御部１０７Ｂは、現在の信号経路１０２ｂ−４に切り替えた状態（フィルタＯＮ状態）を、最終的な判断結果としてブランチＡに反映させる。
【００５６】
一方、受信品質改善量が閾値２未満である場合（ステップＳＴ９ｂ；ＮＯ）、制御部１０７Ｂは、フィルタ１０２ｂ−３が除去すべき周波数帯域以外の雑音電力による影響で受信電力が上昇したと判断して、フィルタ１０２ｂ−３の挿入損失による受信品質の劣化を防ぐため、フィルタ１０２ｂ−３をＯＦＦ、すなわちスイッチ１０２ｂ−１，１０２ｂ−２を制御して信号経路１０２ｂ−５に切り替える（ステップＳＴ１０ｂ）。
この後、ステップＳＴ１１ｂにおいて、制御部１０７Ｂは、現在の信号経路１０２ｂ−５に切り替えた状態（フィルタＯＦＦ状態）を最終的な判断結果としてブランチＡに反映させる。
【００５７】
なお、上述したフローチャートの処理の初回以降の開始前には、下記の状況を確認して判定に使用する閾値を調整する。
ブランチＡにおいてフィルタ１０２ａ−３がＯＮ状態の場合、制御部１０７Ｂは、閾値１および閾値２を初期値以下に調整する。またブランチＡにおいてフィルタ１０２ａ−３がＯＦＦ状態である場合には、制御部１０７Ｂは、閾値１および閾値２を初期値よりも高く調整する。妨害波成分が存在し得る受信状況であるか否かを最初に判断するための閾値１が固定値であると、閾値１付近で電力がふらついた場合、最終的な切り替え判定をするために、頻繁にフィルタのＯＮ、ＯＦＦが切り替わる。また、受信品質改善量の閾値２が固定値であると、閾値２付近で受信品質改善量がふらついた場合、同様に、頻繁にフィルタのＯＮ、ＯＦＦが切り替わってしまう。
そこで、上述のように閾値１および閾値２による判断にヒステリシスを持たせることにより、頻繁にフィルタのＯＮ、ＯＦＦの切り替わりが低減されて、ひいてはブランチＡにおける画音の乱れをさらに抑制することができる。
【００５８】
以上のように、この実施の形態３によれば、制御部１０７Ｂは、バックグラウンド処理用のブランチＢにおいて信号経路１０２ｂ−５に切り替え、画音出力用のブランチＡと同じチャンネルを選局させた状態で妨害波成分の受信電力に対応する値を求め、この値を閾値１と比較した結果に基づいて受信信号に妨害波成分が存在し得る受信状況であるか否かを判定し、妨害波成分が存在し得る受信状況と判定した場合に、スイッチ１０２ｂ−１，１０２ｂ−２を制御して信号経路１０２ｂ−４に切り替え、妨害波成分の除去による受信品質改善量を閾値２と比較した結果に基づいて、妨害波成分が除去されたか否かを判定する。このようにすることで、実施の形態１と同様に、デジタル放送の受信感度の劣化を防ぎ、かつ画音の乱れを低減することができる。
【００５９】
また、この実施の形態３によれば、制御部１０７Ｂは、画音出力用のブランチＡにおける受信周波数のみの受信電力が予め定められた閾値３より高い場合、閾値１を初期値よりも高くする。ブランチＡの受信ＣＨのみの受信電力が高ければ、所望の受信ＣＨの電力が高い状態であると判断される。これにより、閾値１を高くして妨害波成分が存在し得る受信状況の判定感度を下げることで、実際の受信状況に応じて閾値１を調整することが可能となる。
【００６０】
さらに、この実施の形態３によれば、制御部１０７Ｂは、画音出力用のブランチＡが信号経路１０２ａ−４に切り替えられた状態である場合、閾値１および閾値２を初期値以下とし、ブランチＡが信号経路１０２ａ−５に切り替えられた状態である場合は、閾値１および閾値２を初期値より高くする。このようにすることで閾値１および閾値２による判断にヒステリシスを持たせることができ、フィルタのＯＮ、ＯＦＦの切り替わり回数が低減されて画音の乱れを抑制することができる。
【００６１】
なお、本発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６２】
１００，１００Ａ，１００Ｂ  デジタル放送受信装置、１０１ａ，１０１ｂ  アンテナ、１０２ａ，１０２ｂ  スイッチ付きフィルタ、１０２ａ−１，１０２ａ−２，１０２ｂ−１，１０２ｂ−２  スイッチ、１０２ａ−３，１０２ｂ−３  フィルタ、１０２ａ−４，１０２ｂ−４  信号経路（第１の信号経路）、１０２ａ−５，１０２ｂ−５  信号経路（第２の信号経路）、１０３ａ，１０３ｂ  選局部、１０４ａ，１０４ｂ  ＯＦＤＭ復調部、１０５  ＭＰＥＧデコード部、１０６  出力部、１０７，１０７Ａ，１０７Ｂ  制御部、１０８ａ，１０８ｂ  スイッチ制御信号、１０９ａ，１０９ｂ  ＲＦＡＧＣ値、１１０ａ，１１０ｂ  ＡＧＣ制御信号、１１１ａ，１１１ｂ  ＩＦＡＧＣ値、１１２ａ，１１２ｂ  受信品質値。
【図１】
2015222855.tif 000003
【図２】
2015222855.tif 000004
【図３】
2015222855.tif 000005
【図４】
2015222855.tif 000006
【図５】
2015222855.tif 000007
【図６】
2015222855.tif 000008
【図７】
2015222855.tif 000009